(57)【特許請求の範囲】
【請求項１】
撮像画像を表示する表示手段と、
被写体を照明するストロボと、
を有し、
上記表示手段は、当該表示手段への供給電力を制御することにより表示輝度を変更可能とし、上記ストロボのメインコンデンサへの充電期間中は、上記表示手段への供給電力を制限することで当該表示手段の表示輝度を通常の表示輝度より低下させ、充電完了により通常の表示輝度に戻す制御手段と、
を有することを特徴とするスチルビデオカメラ。
【発明の詳細な説明】
【０００１】
【産業上の利用分野】
本発明は、スチルビデオカメラ、詳しくは、ストロボが充電中の場合は自己の操作部に対する操作を受け付けるに適さない動作状態にあることを操作者に対して警告するスチルビデオカメラに関する。
【０００２】
【従来の技術】
従来より、カメラが自己の操作部に対する操作を受け付けるに適さない動作状態にあるとき、たとえば、ストロボ充電動作等の状態にあるときの操作者への警告としては、ＬＥＤの点滅等による表示手段が知られている。すなわち、図５に示すように、ファインダ内の画面１０１の上方または下方に配設されたＬＥＤ１０２の点灯あるいは点滅によって、操作者に対してストロボ充電中であることを警告するものである。これにより、操作者は、操作部が操作を受け付けるに適さない状態であることを知ることができるようになっている。
【０００３】
【発明が解決しようとする課題】
ところで、上述したような従来の警告手段、すなわちＬＥＤの点滅等による警告手段では、各操作部が操作を受け付けない状態にあることを確実に操作者に知らせることができなかった。すなわち、カメラに顔を近づけて電子ファインダを覗いている状態では、ファインダ画面内の被写体を見ながらファインダ画面外のＬＥＤの点滅等を確認することが難しく、ストロボ充電中等にも拘わらず、操作者が次の操作にはいってしまうような誤操作が多々あった。また、液晶モニタをファインダとして使用する場合でも、警告用のＬＥＤは液晶モニタの画面外にあるためＬＥＤの点滅等を同時に確認することが難しかった。そして、このような場合、操作者はカメラが操作に応答しないため、故障等が発生したのではないかと不審に思う虞があった。
【０００４】
本発明はかかる問題点に鑑みてなされたものであり、スチルビデオカメラのストロボが充電中の場合には自己の操作部に対する操作を受け付けるに適さない動作状態にあることを確実に操作者に警告するスチルビデオカメラを提供することを目的とする。
【０００５】
上記の目的を達成するため本発明によるスチルビデオカメラは、撮像画像を表示する表示手段と、被写体を照明するストロボと、を有し、上記表示手段は、当該表示手段への供給電力を制御することにより表示輝度を変更可能とし、上記ストロボのメインコンデンサへの充電期間中は、上記表示手段への供給電力を制限することで当該表示手段の表示輝度を通常の表示輝度より低下させ、充電完了により通常の表示輝度に戻す制御手段とを有することを特徴とする。
【０００６】
【作  用】
本発明においては、スチルビデオカメラのストロボが充電中の場合には、電子ビューファインダやＬＣＤモニタの表示輝度を通常の表示輝度より低下させ、自己の操作部に対する操作を受け付けるに適さない動作状態にあることを、操作者に警告し、ストロボの充電が完了したときは、上記表示輝度を通常の表示輝度に戻すようにして、自己の操作部に対する操作を受け付けるに適した動作状態に復帰したことを、操作者に報知している。
【０００７】
【実施例】
以下、図面を参照して本発明の実施例を説明する。
【０００８】
図１は、本発明の１実施例のカメラの構成を示すブロック図である。
【０００９】
このカメラは、ＩＣメモリカードを使用したスチルビデオカメラであり、カメラ全体の動作を制御するシステムＣＰＵ１（図中、ＳＹＳＣＰＵ１として示す）と、該システムＣＰＵ１に制御されてファインダ内にモニタ画像を表示するファインダ部２と、上記システムＣＰＵ１に制御されて被写体の撮影を行う撮影光学系制御部３と、該撮影光学系制御部３からの画像信号を受けて画像処理を行い、上記ファインダ部２内のＥＶＦ２３および外部のモニタ等に画像信号を送出するモニタ画像処理部４と、上記撮影光学系制御部３からの画像信号を受け、さらに上記システムＣＰＵ１に制御されて該画像を記憶・再生する画像記憶部５と、上記撮影光学系制御部３内のレンズＣＰＵ３１の制御を受けてストロボ発光を行うストロボ部６と、操作者からの操作を受付けて、この情報を上記システムＣＰＵ１に送出すると共にＬＣＤ７３にて所定の情報を操作者に知らしめる操作部７と、該カメラの上記各部に電源を供給する電源部８とで主要部を構成している。
【００１０】
なお、上記電源部８からの電源供給経路は、図中では太線にてシステムＣＰＵ１，ファインダ部２，ストロボ部６に対してのみ示しているが、その他の各部にも図示しない経路にて給電されるようになっている。
【００１１】
上記ファインダ部２は、上記モニタ画像処理部４からのモニタ画像信号を受けてモニタ画像を表示するＥＶＦ２３と、該ＥＶＦ２３の後方に配設され、該ＥＶＦ２３の輝度調整を行うバックライトランプ２１と、該バックライトランプ２１の発光制御を行うバックライトコントロール回路２２とで主要部が構成されている。
【００１２】
図２は、上記バックライトランプ２１およびバックライトコントロール回路２２の構成を示した電気回路図である。
【００１３】
このコントロール回路２２は、所定のデューティ比を有し図示しない水平発振回路からの水平同期信号（＝１５．７３４ｋＨｚ）に同期するパルス信号ＳＹＮＣを受けてオン・オフするトランジスタ２６，２７からなるドライバ部と、該ドライバ部によって励振され、上記水平同期信号に同期し上記デューティ比にて発振するＦＥＴ２５と、該ＦＥＴ２５の発振を昇圧してバックライトランプ２１を点灯させる昇圧トランス２４とで主要部が構成されている。
【００１４】
上記バックライトランプ２１は、たとえば蛍光灯で構成され、上記昇圧トランス２４の両端に接続されて上記パルス信号ＳＹＮＣに基づく周波数およびデューティ比にて点灯するようになっている。
【００１５】
上記パルス信号ＳＹＮＣのデューティ比は、水平同期信号の周波数を１５７３４［Ｈｚ］，パルスのオン時間をＴ［ｓｅｃ］とすると、
デューティ比＝１５７３４×Ｔ
で表される。
【００１６】
通常時は図３（ａ）に示すように、上記パルス信号ＳＹＮＣのオン時間Ｔ１をＴ１＝１０μｓｅｃとすると、通常時のデューティ比Ｄ１は、
Ｄ１＝１５７３４×Ｔ１
＝０．１５７３４
となる。
【００１７】
また、たとえばストロボ充電中は図３（ｂ）に示すように、上記パルス信号ＳＹＮＣのオン時間Ｔ２を上記Ｔ１に対して半減させＴ２＝５〜６μｓｅｃとすると、該ストロボ充電中のデューティ比Ｄ２は、
Ｄ２＝１５７３４×Ｔ２
＝０．０７８６７〜０．０９４４
となる。
【００１８】
このとき、上記バックライトランプ２１は通常時より減光されて暗くなる。
【００１９】
すなわち、本実施例では上記パルス信号ＳＹＮＣのデューティ比を変化させることでバックライトランプ２１を減光させ、ＥＶＦ２３の表示面を暗くさせる。これにより、操作部に対する操作を受け付けるに適さない動作状態にあるとき、たとえばストロボ充電時に、操作者は撮影にあたって必然的にＥＶＦを覗く訳であるから、この非受付状態であることを操作者に警告することが可能となる。
【００２０】
さらに、上記パルス信号ＳＹＮＣのオン時間Ｔ２を上記Ｔ１に対して半減させたことで、ファインダ部２の消費電力が数十％程削減でき、また、カメラ全体としても数％の省電力化が実現できる。
【００２１】
次に、ストロボ充電時におけるカメラの撮影動作を図４に示すフローチャートを参照して説明する。
【００２２】
まず、スタンバイ状態にて待機して（ステップＳ１０１）、ストロボチャージが充分か否かを判定する（ステップＳ１０２）。充分充電されているならば１ｓｔトリガのオンにより（ステップＳ１０３）オートフォーカス動作を開始して（ステップＳ１０４）、オートフォーカス終了の後（ステップＳ１０５）、２ｎｄトリガのオンにより（ステップＳ１０６）撮影が行われ（ステップＳ１０７）、上記ステップＳ１０１に戻る。
【００２３】
上記ステップＳ１０２においてストロボチャージが充分でない場合は、上記システムＣＰＵ１の制御の基にストロボチャージが開始されると共に（ステップＳ１０８）、上述したようにバックライトランプ２１に印加するパルス電圧のデューティ比を通常時より半減させる（ステップＳ１０９）。これによりバックライトランプ２１が減光してＥＶＦ２３が暗くなり、操作者にストロボ充電中であって、操作部の非受付状態になっていることを警告する。この後ストロボチャージ完了の後（ステップＳ１１０）、バックライトランプ２１に印加するパルス電圧のデューティ比を通常状態に戻し（ステップＳ１１１）、ＥＶＦ２３を通常使用状態に復帰させて上記ステップＳ１０２に戻る。
【００２４】
上記図１に戻って、上記ファインダ部２以外のカメラ各部の構成を説明する。
【００２５】
上記撮影光学系制御部３は、上記システムＣＰＵ１の制御を受けて該撮影光学系制御部３およびストロボ部６の各部制御を行うレンズＣＰＵ３１と、該レンズＣＰＵ３１の制御を受けて撮影レンズ３４からの被写体光を電気画像信号に変換するＣＣＤ／ＴＧ３３と、上記レンズＣＰＵ３１の制御を受けて上記ＣＣＤ／ＴＧ３３を制御するとともに、該ＣＣＤ／ＴＧ３３からの情報に基づいて上記モニタ画像処理部４に所定情報を送出するカメラプロセス３２とで主要部が構成されている。
【００２６】
上記モニタ画像処理部４は、上記カメラプロセス３２からの所定情報に基づいて後述するメモリコントロール回路５１からの画像信号をディジタル／アナログ変換（以下、ＤＡ変換という）してビデオアンプ４２に送出するＡＤ／ＤＡコンバータ４１と、該ＡＤ／ＤＡコンバータ４１で画像信号に変換されたモニタ画像信号を増幅して外部のモニタ（図示せず）に対して送出するとともに、上記ＥＶＦ２３に対して送出するビデオアンプ４２とで主要部が構成されている。
【００２７】
上記画像記憶部５は、上記システムＣＰＵ１の制御を受けて上記ＣＣＤ／ＴＧ３３あるいはＡＤ／ＤＡコンバータ４１との画像信号の受け渡しを行うメモリコントロール回路５１と、該メモリコントロール回路５１からの画像信号の圧縮および符号化を行うＤＣＴ５２およびコーダ５３と、このＤＣＴ５２およびコーダ５３により圧縮された画像信号をカードＩ／Ｆ（インターフェース）５４を介して記憶し、さらに該記憶した圧縮画像信号を再生のために必要に応じて送出するＩＣメモリカード５５とで主要部が構成されている。なお、上記各部の動作は共に上記システムＣＰＵ１の制御により行われるようになっている。また、ＩＣメモリカード５５自体は、本カメラに対して挿脱自在に結合されるようになっている。
【００２８】
上記ストロボ部６は、通常の機能を有するストロボ６２と、上記レンズＣＰＵ３１の制御を受けて上記ストロボ６２の発光を制御するストロボ制御回路６１とで構成されている。
【００２９】
また、上記操作部７は、図示しない操作部スイッチ等のＫＥＹマトリックス回路７２と、上記システムＣＰＵ１の制御を受けて上記ＫＥＹマトリックス回路７２からの情報を取り込んでシステムＣＰＵ１送出するサブＣＰＵ７１（図中、ＳＵＢＣＰＵ７１として示す）と、該サブＣＰＵ７１の制御を受けてカメラの所定の情報を表示するＬＣＤ７３とで主要部が構成されている。
【００３０】
上記電源部８は、上述したようにカメラ全体の電源供給部であり、ＤＣ／ＤＣコンバータ８２を介してシステムＣＰＵ１，バックライトコントロール回路２２等へ低電圧を供給すると共に、ストロボ部６に対して高電圧を供給するようになっている。
【００３１】
このような構成のカメラの動作を簡単に説明すると、図示しない操作部スイッチ等が操作、たとえば撮影操作がなされると、サブＣＰＵ７１がＫＥＹマトリックス回路７２からの情報を取り込み、システムＣＰＵ１との通信により撮影動作が開始される。システムＣＰＵ１はレンズＣＰＵ３１を制御してＣＣＤ／ＴＧ３３のシャッタを切り、撮影された被写体像は該ＣＣＤ／ＴＧ３３により電気画像信号に変換される。この画像信号はメモリコントロール回路５１に送出され、ＤＣＴ５２およびコーダ５３で画像圧縮された後、カードＩ／Ｆ５４を介してＩＣメモリカード５５に記憶される。また、画像再生時にはＩＣメモリカード５５からカードＩ／Ｆ５４を介してＤＣＴ５２およびコーダ５３に送出され、該ＤＣＴ５２，コーダ５３にて伸長されたのち再びメモリコントロール回路５１に送出される。
【００３２】
上記メモリコントロール回路５１からの画像信号はＡＤ／ＤＡコンバータ４１によりＤＡ変換された後、ビデオアンプ４２にて増幅され、モニタＯＵＴ端子より図示しない外部のモニタに出力されると共にＥＶＦ２３に向けて送出される。
【００３３】
本実施例によると、自己の操作部に対する操作を受け付けるに適さない動作状態にあるときには、ビューファインダ内のカラー液晶のバックライトランプの点灯パルスのデューティ比を減少させてファインダ内の輝度を下げることで、該状態であることを確実に操作者に警告することが可能となる。また、バックライトランプの点灯パルスのデューティ比を減少させることで消費電力の軽減を図ることも可能となる。
【００３４】
また、上記実施例においては、カメラが自己の操作部に対する操作を受け付けるに適さない動作状態としてストロボ充電時を例に挙げたが、これに限ることなく、たとえば「オートフォーカス動作において合焦しないとき」、「図示しないフロッピーディスクドライブに記録媒体としてのフロッピーディスクが装着された際の、スピンドルモータのロック前」、「記録媒体としてのテープのローディング中」、「ＩＣメモリカードの非装着時」等にも応用可能である。すなわち、上述した実施例と同様にバックライトランプを減光させることで操作者に確実に操作不適を警告することができる。
【００３５】
なお、ファインダー部への供給電力を制限する手段としては、上記実施例のように点灯パルスのデューティ比を変化させることの他に、たとえば供給電圧あるいは供給電流自体のレベルを低減することで実現することも可能である。この場合、期待できる効果は上記実施例と同様であることはいうまでもない。
【００３６】
【発明の効果】
以上述べたように本発明によれば、スチルビデオカメラのストロボが充電中においては、自己の操作部に対する操作を受け付けるに適さない動作状態にあることを、確実に操作者に警告し、ストロボの充電が完了したときは、自己の操作部に対する操作を受け付けるに適した動作状態に復帰したことを操作者に報知しているので、操作者は操作可能なタイミングを視認することができ、使い勝手の良いスチルビデオカメラを提供することができる。
【図面の簡単な説明】
【図１】本発明の１実施例のカメラの構成を示すブロック図。
【図２】上記実施例におけるバックライトランプおよびバックライトコントロール回路の構成を示した電気回路図。
【図３】（ａ）通常時，（ｂ）ストロボ充電時における、上記実施例のバックライトコントロール回路に入力されるパルス信号ＳＹＮＣの波形を示した線図。
【図４】ストロボ充電時における、上記実施例のカメラの撮影動作を示したフローチャート。
【図５】従来のカメラの、ストロボ充電時等における操作者への警告手段を示したファインダ部の正面図。
【符号の説明】
１…システムＣＰＵ
２…ファインダ部
３…撮影光学系制御部
４…モニタ画像処理部
５…画像記憶部
６…ストロボ部
７…操作部
８…電源部
２１…バックライトコントロール回路
２２…バックライトランプ
２３…ＥＶＦ
【図１】
0003577087.tif 000002
【図２】
0003577087.tif 000003
【図３】
0003577087.tif 000004
【図４】
0003577087.tif 000005
【図５】
0003577087.tif 000006